(57)【要約】【課題】  電子内視鏡において静止画の撮影における被写体のぶれを防止する。【解決手段】  被写体の１フィールドを所定の９つの領域に分割し、それぞれの領域毎の平均輝度レベルを算出する（ステップＳ１００）。電子スコープの挿入先端に配設された検出素子の出力をチェックし、鉗子等の処置具が電子スコープに使用されているか否かをチェックする。処置具が使用されていない場合、各領域の面積に応じた輝度値の通常の重み付け処理を実行する（Ｓ１０４）。処置具の使用が確認されたら、処置具が写し込まれる領域を考慮した輝度値の特別な重み付け処理を実行する（Ｓ１０６）。重み付けが行われた輝度値を参照値と比較し（Ｓ１０８）、電子シャッタ機能のシャッタースピードを制御する（Ｓ１１０）。【選択図】        図５
2006034782.tif 000002
【特許請求の範囲】
【請求項１】
挿入部先端に対物光学系と、固体撮像素子と、照明光を被写体に照射するための配光光学系と、処置具を挿通する処置具挿通路の鉗子口とが設けられた電子スコープと、
前記電子スコープが着脱自在に接続される画像処理プロセッサとを備える電子内視鏡装置であって、
前記固体撮像素子により取得される被写体画像を複数の領域に分割し、それぞれの領域毎の領域輝度値を算出する領域輝度値算出手段と、
前記処置具挿通路に挿通させられる処置具の使用を検出する処置具検出手段と、
前記処置具検出手段の検出結果に応じて前記領域輝度値を調整し、調整された前記領域輝度値に基づいて前記被写体画像の全体の全体輝度値を算出する全体輝度値算出手段と、
前記全体輝度値算出手段により算出された前記全体輝度値を所定の参照値と比較し、前記全体輝度値が前記所定の参照値に近似するよう前記固体撮像素子の電荷蓄積時間を制御する制御手段とを備えたことを特徴とする電子内視鏡装置。
【請求項２】
前記全体輝度値算出手段は、前記複数の領域毎にそれぞれの前記領域輝度値の重み付けを行うことを特徴とする請求項１に記載の電子内視鏡装置。
【請求項３】
前記処置具検出手段により前記処置具の使用が検出された場合、
前記全体輝度値算出手段は、前記被写体画像において前記処置具が写し込まれる前記領域の前記領域輝度値の重み付けの値を相対的に小さく設定し、前記全体輝度値を算出することを特徴とする請求項２に記載の電子内視鏡装置。
【請求項４】
前記処置具検出手段により前記処置具の使用が検出された場合、
前記全体輝度値算出手段は、前記被写体画像において前記処置具が写し込まれる前記領域の前記領域輝度値を除いて、前記全体輝度値を算出することを特徴とする請求項２に記載の電子内視鏡装置。
【請求項５】
前記処置具が写し込まれる前記領域は、前記挿入部先端における前記対物光学系と前記鉗子口との相対的位置関係に基づいて判断されることを特徴とする請求項３または４のいずれかに記載の電子内視鏡装置。
【請求項６】
前記処置具検出手段により前記処置具の使用が検出された場合、
前記全体輝度値算出手段は、前記被写体画像の中心部の領域の重み付けの値を相対的に大きく設定し、前記全体輝度値を算出することを特徴とする請求項２に記載の電子内視鏡装置。
【請求項７】
前記処置具検出手段により前記処置具の使用が検出された場合、
前記全体輝度値算出手段は、前記被写体画像の中心部の領域の前記領域輝度値にのみ基づいて前記全体輝度値を算出することを特徴とする請求項２に記載の電子内視鏡装置。
【請求項８】
前記参照値は使用者により設定されることを特徴とする請求項１に記載の電子内視鏡装置。
【請求項９】
挿入部先端に対物光学系と、固体撮像素子と、照明光を被写体に照射するための配光光学系と、処置具を挿通する処置具挿通路の鉗子口とが設けられ、電子内視鏡装置において組合わせて使用される画像処理プロセッサに着脱自在に接続される電子スコープであって、
前記固体撮像素子により取得される被写体画像を複数の領域に分割し、それぞれの領域毎の領域輝度値を算出する領域輝度値算出手段と、
前記処置具挿通路に挿通させられる処置具の使用を検出する処置具検出手段と、
前記処置具検出手段の検出結果に応じて前記領域輝度値を調整し、調整された前記領域輝度値に基づいて前記被写体画像の全体の全体輝度値を算出する全体輝度値算出手段と、
前記全体輝度値算出手段により算出された前記全体輝度値を所定の参照値と比較し、前記全体輝度値が前記所定の参照値に近似するよう前記固体撮像素子の電荷蓄積時間を制御する制御手段とを備えたことを特徴とする電子スコープ。
【発明の詳細な説明】
【技術分野】
【０００１】
本発明は、電子内視鏡装置において電子スコープから得られる被写体像の明るさを調節する自動調光に関する。
【背景技術】
【０００２】
電子内視鏡装置において、電子スコープ（電子内視鏡）内には、光ファイバー束から成るライトガイドが挿通しており、鉗子等の処置具を挿通する処置具挿通路が設けられてる。また、電子スコープの挿入部先端にはＣＣＤ等の固体撮像素子が設けられている。電子スコープが接続される画像処理プロセッサ内には、キセノンランプ等の白色光源が設けられている。この白色光源から出射された白色光はライトガイドにより電子スコープの挿入部先端まで導かれ、挿入部先端においてライトガイドの出射端に配置された配光光学系を介して、前方に照明光として照射される。
【０００３】
こうして照明光が被写体に照射されると、その反射光は固体撮像素子と組合わせて設けられる対物光学系により固体撮像素子の受光面に結像される。被写体の光学像は固体撮像素子において光電変換され、固体撮像素子から画像信号が出力される。この画像信号は画像処理プロセッサにおいて、所定の画像信号処理が施され、ＴＶモニタに出力される。その結果、被観察体がＴＶモニタに映し出される。施術者は、ＴＶモニタを視認しながら、電子スコープの挿入部先端においての処置具挿通路の開口部から突出する処置具を操作し、病変部位の切除等の施術を行う。
【０００４】
このような電子内視鏡装置では、ＴＶモニタにおいて常に良好な画像が得られるよう、自動調光、すなわち、白色光源の出射光の光路上に設けられる絞りの制御が行われる。具体的には、画像処理プロセッサにおいて、画像信号に含まれる輝度成分に基づいて平均測光やピーク測光等により１フレーム若しくは１フィールド分の画像データの輝度レベルが算出され、その輝度レベルを所定の基準値（参照値）と比較し、比較結果に基づいて絞りの開度が制御される。その結果、白色光源からの出射光の光量が適宜調節される。
【特許文献１】特開平７−１７１０９８号公報
【発明の開示】
【発明が解決しようとする課題】
【０００５】
電子スコープによる観察中、被写体である体内器官の内壁面は静止しているわけではなく、絶えず動いている。また、電子スコープの挿入部先端も施術に応じて絶えず変位している。すなわち、被写体と挿入部先端の固体撮像素子との相対的位置関係は常に変化している。このような状況において静止画の撮影を行う場合、上述の光量制御では固体撮像素子が備えた電子シャッタ機能における高速のシャッターが利用できなかった。その結果、撮影される被写体画像にぶれが生じるという問題があった。また、処置具が使用されている場合においては、その処置具による反射光に影響され、自動調光が適切に行われず、適正露光でない静止画が得られる場合があった。
【０００６】
本発明は、以上の問題を解決するものであり、撮影される被写体のぶれを生じさせずに静止画の撮影を行なうと同時に、処置具が使用されている場合においても自動調光を適切に行うことを目的とする。
【課題を解決するための手段】
【０００７】
本発明に係る電子内視鏡装置は、挿入部先端に対物光学系と、固体撮像素子と、照明光を被写体に照射するための配光光学系と、処置具を挿通する処置具挿通路の鉗子口とが設けられた電子スコープと、電子スコープが着脱自在に接続される画像処理プロセッサとを備える電子内視鏡装置であって、固体撮像素子により取得される被写体画像を複数の領域に分割し、それぞれの領域毎の領域輝度値を算出する領域輝度値算出手段と、処置具挿通路に挿通させられる処置具の使用を検出する処置具検出手段と、処置具検出手段の検出結果に応じて領域輝度値を調整し、調整された領域輝度値に基づいて被写体画像の全体の全体輝度値を算出する全体輝度値算出手段と、全体輝度値算出手段により算出された全体輝度値を所定の参照値と比較し、全体輝度値が所定の参照値に近似するよう固体撮像素子の電荷蓄積時間を制御する制御手段とを備えたことを特徴とする。好ましくは、上述の所定の参照値は使用者により設定される。
【０００８】
好ましくは、全体輝度値算出手段は、複数の領域毎にそれぞれの領域輝度値の重み付けを行う。
【０００９】
処置具検出手段により処置具の使用が検出された場合、全体輝度値算出手段は、被写体画像において処置具が写し込まれる領域の領域輝度値の重み付けの値を相対的に小さく設定し、全体輝度値を算出してもよい。
【００１０】
処置具検出手段により処置具の使用が検出された場合、全体輝度値算出手段は、被写体画像において処置具が写し込まれる領域の領域輝度値を除いて、全体輝度値を算出してもよい。
【００１１】
好ましくは、処置具が写し込まれる領域は、挿入部先端における対物光学系と鉗子口との相対的位置関係に基づいて判断される。
【００１２】
処置具検出手段により処置具の使用が検出された場合、全体輝度値算出手段は、被写体画像の中心部の領域の重み付けの値を相対的に大きく設定し、全体輝度値を算出してもよい。
【００１３】
処置具検出手段により処置具の使用が検出された場合、全体輝度値算出手段は、被写体画像の中心部の領域の領域輝度値にのみ基づいて全体輝度値を算出してもよい。
【００１４】
また、本発明に係る電子スコープは、挿入部先端に対物光学系と、固体撮像素子と、照明光を被写体に照射するための配光光学系と、処置具を挿通する処置具挿通路の鉗子口とが設けられ、電子内視鏡装置において組合わせて使用される画像処理プロセッサに着脱自在に接続される電子スコープであって、固体撮像素子により取得される被写体画像を複数の領域に分割し、それぞれの領域毎の領域輝度値を算出する領域輝度値算出手段と、処置具挿通路に挿通させられる処置具の使用を検出する処置具検出手段と、処置具検出手段の検出結果に応じて領域輝度値を調整し、調整された領域輝度値に基づいて被写体画像の全体の全体輝度値を算出する全体輝度値算出手段と、全体輝度値算出手段により算出された全体輝度値を所定の参照値と比較し、全体輝度値が所定の参照値に近似するよう固体撮像素子の電荷蓄積時間を制御する制御手段とを備えたことを特徴とする。
【発明の効果】
【００１５】
以上のように、本発明によれば、処置具の使用の有無に応じて固体撮像素子の電荷蓄積時間を制御することにより被写体画像の全体の輝度値を調節している。その結果、撮影画像はぶれることがなく、処置具の使用の有無にかかわらず、常に良好な被写体像を撮影することができる。
【発明を実施するための最良の形態】
【００１６】
図１は、本発明に係る実施形態が適用される電子内視鏡装置のブロック図である。電子スコープ１０には多数の光ファイバーから成るライトガイド１１が挿通しており、ライトガイド１１は電子スコープ１０の挿入部１２の先端１２Ａまで延びている。挿入部先端１２Ａにおいてライトガイド１１の出射端は２つに分岐しており、後述するように、それぞれの出射端に対応して一対の配光レンズ１３Ａ、１３Ｂが配置されている。また、電子スコープ１０には鉗子等の処置具が挿入される処置具挿通路１４が設けられている。
【００１７】
画像処理プロセッサ３０のシステムコントローラ３１は、電子内視鏡システム全体をコントロールする例えばマイクロプロセッサであり、ＣＰＵ３１Ａ、ＲＯＭ３１Ｂ、ＲＡＭ３１Ｃを備える。画像処理プロセッサ３０内には、白色光を出射する例えばキセノンランプ等であるランプ３２が設けられる。ランプ３２はランプ駆動回路３３からの出力に基づいて点灯駆動させられる。
【００１８】
電子スコープ１０を画像処理プロセッサ３０に接続すると、ライトガイド１１はランプ３２に光学的に接続される。使用者によるランプ点灯操作が行われると、ＣＰＵ３１Ａからの制御信号に基づいてランプ駆動回路３３からランプ３２へ駆動信号が出力され、ランプ３２から白色光が出射される。白色光は集光レンズ３４を介してライトガイド１１の入射端に入射する。入射した白色光はライトガイド１１により挿入部先端１２Ａまで導かれ、一対の配光レンズ１３Ａ、１３Ｂを介して被観察体に照明光として照射される。
【００１９】
被観察体からの反射光は、電子スコープ１０の挿入部先端１２Ａに配設された対物レンズ１５を介してＣＣＤ１６に入射する。これにより、ＣＣＤ１６の受光面に被観察体の光学像が結像される。電子スコープ１０内のスコープＣＰＵ１７は、画像処理プロセッサ３０のシステムコントローラ３１のＣＰＵ３１Ａとの間でＳＣＩ（Serial Communication Interface）により制御情報等の送受信を行う。また、スコープＣＰＵ１７からの制御信号に基づいて画像処理ＩＣ１８からＣＣＤ駆動信号が出力され、ＣＣＤ１６の電荷蓄積時間が制御される。換言すると、スコープＣＰＵ１７によりＣＣＤ１６の電子シャッタ機能のシャッタースピードが制御される。ＣＣＤ１６では電荷蓄積時間中、被観察体の光学像が光電変換される。その結果、ＣＣＤ１６から被観察体のアナログ画像信号が１フィールド毎に出力される。
【００２０】
ＣＣＤ１６から出力された１フィールド分のアナログ画像信号はＡＧＣ（Auto Gain Controller）１９を経て画像処理ＩＣ１８へ入力される。画像処理ＩＣ１８に入力された画像信号は所定の画像信号処理が施された後、画像処理プロセッサ３０のプロセッサ信号処理回路３５へ伝送される。
【００２１】
プロセッサ信号処理回路３５では入力された画像信号に増幅処理、ガンマ補正、輪郭強調等の所定の画像信号処理が施され、プロセッサ信号処理回路３５に設けられた画像メモリ（図示せず）に画像データとして格納される。画像メモリ内の画像データは、適時読み出されて所定のビデオ信号の仕様に準拠したビデオ信号変換処理が施され、ＴＶモニタ５０へ出力される。その結果、ＴＶモニタ５０に被観察体像が表示される。
【００２２】
また、画像処理ＩＣ１８では、図２に示すように、１フィールド分の画像データを９つの領域に分割し、各領域を構成する画素の画像信号から輝度信号を抽出し、各領域毎の輝度値を算出する処理が行われる。
【００２３】
画像処理プロセッサ３０のフロントパネル３６には、ＴＶモニタ５０に表示される映像のブライトネスレベルを調整する調整スイッチ３６Ａが設けられている。ブライトネスレベルは８ビットデータであり、０レベル〜２５５レベルの範囲にわたる。電子スコープ１０のＥＥＰＲＯＭ２０には、ブライトネスレベルと実際の輝度値との対応を示す輝度テーブルが格納されている。使用者が調整スイッチ３６Ａを操作しブライトネスレベルを設定すると、設定されたブライトネスレベルがシステムコントローラ３１のＣＰＵ３１ＡからスコープＣＰＵ１７へ伝送される。スコープＣＰＵ１７では、設定されたブライトネスレベルに対応する輝度値が輝度テーブルから検索され、参照値として設定される。この参照値は、後述する自動調光処理において用いられる。尚、本実施形態において、使用者により調整可能なブライトネスレベルの範囲は、７０レベル〜１７０レベルの範囲である。
【００２４】
また、画像処理プロセッサ３０にはキーボード３７が接続されており、各種制御信号の入力が可能である。
【００２５】
図３は挿入部先端１２Ａにおいて処置具挿通路１４が形成された部分を拡大して示す図である。処置具挿通路１４には、鉗子等の処置具４０を検出するためのフォトインタラプタ４１が設けられる。フォトインタラプタ４１は発光ダイオード等からなる発光部４１Ａとフォトトランジスタ等からなる受光部４１Ｂとを有する。発光部４１Ａには抵抗Ｒ１を介して所定の電圧が印加され、これにより発光部４１Ａから検出光が受光部４１Ｂに向けて射出される。一方、受光部４１Ｂにも抵抗Ｒ２を介して所定の電圧が印加され、抵抗Ｒ２と受光部４１Ｂとの間の配線から延びた検出端子４２がスコープＣＰＵ１７に接続される。
【００２６】
受光部４１Ｂが発光部４１Ａから検出光を受光している間、受光部４１Ｂは通電状態にあり、このときの検出端子４２の電位は低レベルとなる。一方、発光部４１Ａと受光部４１Ｂとの間に鉗子等の処置具４０が介在すると、受光部４１Ｂへの検出光の受光が遮られ、このとき受光部４１Ｂは非通電状態となり、検出端子４２の電位は高レベルとなる。従って、検出端子４２の電位レベルを検出することにより、鉗子等の処置具４０が使用されＣＣＤ１６により撮られているか否かを判別できる。
【００２７】
尚、本実施形態では、フォトインタラプタ４１により処置具４０の使用の有無を判別しているがこれに限るものではない。例えば、フォトインタラプタ４１の代わりに処置具挿通路１４に介在する処置具４０に接触可能な様態でマイクロスイッチを設けてもよい。また、フォトインタラプタやマイクロスイッチのような検出装置を設ける代わりに、処置具４０の使用の有無を判別するソフトウエアを搭載する構成としてもよい。すなわち、電子スコープ１０により得られた画像において、処置具４０が映しこまれる領域の輝度値を所定の閾値と比較することにより、処置具４０の使用の有無を判別してもよい。
【００２８】
図４は、挿入部先端１２Ａの正面図である。上述のように対物レンズ１５は挿入部先端１２Ａに設けられたＣＣＤ１６（図４中、破線で図示）と組合わせて配置される。一対の配光レンズ１３Ａ、１３Ｂは対物レンズ１５を挟むように配置される。挿入部先端１２Ａにおける処置具挿通路１４の開口部である鉗子口１４Ｐは、図４において、対物レンズ１５の左上に相当する位置に配置される。尚、図４中の開口部２１は空気や洗浄水が噴出する送気送水路口である。
【００２９】
図５は、自動調光ルーチンの処理手順を示すフローチャートである。この自動調光ルーチンは、スコープＣＰＵ１７の制御に基づいて１フィールド分の画像信号を処理する度に１回実行される割込み処理である。ステップＳ１００において、１フィールドを図２に示すように９つの領域に分割し、それぞれの領域毎の平均輝度レベルが算出される。次いでステップＳ１０２へ進み、検出端子４２の電位がチェックされ、処置具４０が使用されているか否かがチェックされる。ステップＳ１０２において、処置具４０が使用されていないことが確認されたらステップＳ１０４へ進み、輝度値の通常の重み付け処理（以下、通常処理）が実行される。また、ステップＳ１０２において、処置具４０が使用されていることが確認されたらステップＳ１０６へ進み、輝度値の特別な重み付け処理（以下、特別処理）が実行される。
【００３０】
ここで、輝度値の重み付け処理について表１を参照しながら説明する。ステップＳ１００で算出された各領域の輝度値に所定の重み付け値を掛け合わせることにより、輝度値の重み付け処理が行われる。表１は、電子スコープ１０のＥＥＰＲＯＭ２０に格納される。表１には、通常処理及び特別処理において用いられる各領域毎の重み付け値が示される。表１において、最終行は各処理における重み付け値の総計を示す。
【００３１】
【表１】
2006034782.tif 000003
【００３２】
ステップＳ１０４で実行される通常処理では、画面の領域１〜領域９に対し、表１の「通常処理」のカラムに示される重み付け値がそれぞれ割当てられる。通常処理では、領域の面積の大小に応じて重み付け値が定まる。例えば、左上隅の領域１とその右隣の領域２を比較すると、領域２の面積は領域１の面積の約２倍の大きさを有する。通常処理における領域２の重み付け値は「２」、領域１の重み付け値は「１」である。また、画面中央の領域５の面積は、領域２の面積の約２倍、領域１の面積の約４倍の大きさを有する。領域５の重み付け値は「４」である。すなわち、通常処理では、実質的に均一の重み付け値が用いられる。
【００３３】
画像全体の輝度値の算出は、式（１）に基づいて算出される。
【数１】
2006034782.tif 000004
【００３４】
本実施形態では、ステップＳ１０６で実行される特別処理において、画面の領域１〜領域９に対し、表１の「ケース１」のカラムに示される重み付け値がそれぞれ割当てられる。上述のように、本実施形態において、挿入部先端１２Ａにおいて、鉗子口１４Ｐは対物レンズ１５（ＣＣＤ１６）の左上に設けられている。従って、処置具４０が使用される場合、ＴＶモニタ５０に再現される映像において処置具４０が写し込まれる主な領域は、領域５、領域８、及び領域９である。これらの領域に対して割当てられる重み付け値を、通常処理と比較すると、通常処理における領域５の重み付け値は「４」であるのに対し、特別処理における領域５の重み付け値は「２」であり、通常処理における領域８の重み付け値は「２」であるのに対し、特別処理における領域８の重み付け値は「１」であり、通常処理における領域９の重み付け値は「１」であるのに対し、特別処理における領域９の重み付け値は「０」である。そして、これらの領域以外の領域の重み付け値は、通常処理、ケース１の特別処理共に同一である。すなわち、「ケース１」に基づく特別処理は、処置具４０が存在する領域の重み付けの値を相対的に小さくして画面全体の輝度値が算出される。尚、特別処理においても、上述の式（１）に基づいて画面全体の輝度値が算出される。
【００３５】
ステップＳ１０４若しくはＳ１０６において画面全体の輝度値が算出されたら、ステップＳ１０８へ進む。ステップＳ１０８では、画面全体の輝度値が上述の輝度テーブルを検索して得た参照値と比較される。次いでステップＳ１１０へ進む。
【００３６】
ステップＳ１１０では、ステップＳ１０８における比較処理の結果に基づいて、ＣＣＤ１６の電子シャッタのシャッタースピードの設定が行われる。画面全体の輝度値が参照値より低いとき、輝度値を上げるべく、ＣＣＤ１６の電荷蓄積時間をより長くとらなければならない。従って、ステップＳ１１０では、より長い電荷蓄積時間に対応したシャッタースピードが設定される。また、画面全体の輝度値が参照値より高いとき、輝度値を下げるべく、ＣＣＤ１６の電荷蓄積時間をより短くしなければならない。従って、ステップＳ１１０では、より短い電荷蓄積時間に対応したシャッタースピードが設定される。
【００３７】
以上のように本実施形態においては、電子シャッタ機能におけるシャッタースピードを制御することにより、すなわちＣＣＤ１６の電荷蓄積時間を調節することにより自動調光を行っている。従って、ランプ３２からの出射光の光量を調節する絞りを駆動する場合と比べ、高速のシャッタースピードを用いることができる。その結果、被写体と電子スコープの挿入先端との相対的位置関係が極めて短時間のうちに変化する状況において静止画の撮影をしても、撮影画像がぶれることがない。
【００３８】
さらに、本実施形態では、処置具４０の有無に応じて輝度値の算出の重み付けを変えている。従って、画像の明るさが常に適切で見やすいレベルに維持され、使用者は画像処理プロセッサ３０のブライトネスレベルの調節に煩わされることなく、電子スコープ１０の操作に専念することができる。
【００３９】
本実施形態において、ステップＳ１０６で実行される特別処理では、画面の各領域に対して表１の「ケース１」のカラムに示される重み付け値を割当て、処置具４０の存在する領域の重み付けを相対的に小さくしている。しかしながら、特別処理における重み付けの態様はこれに限るものではない。以下、特別処理における変形例について説明する。
【００４０】
表１の「ケース２」のカラムに示される重み付けは、処置具４０が存在する領域を除外して、画面全体の輝度値を算出する処理である。ＴＶモニタ５０に再現される映像において処置具４０が写し込まれる領域８及び領域９の重み付け値は「０」である。領域５に関して、通常、施術の対象となる部分が常に領域５に位置づけられることを考慮し、重み付け値は「４」である。このように、ケース２はケース１と同様、処置具４０の存在する領域が重み付けの決定の重要なパラメータである。尚、処置具４０の存在する領域は、挿入部先端１２Ａにおける対物レンズ１５と鉗子口１４Ｐとの相対的位置関係により定まる。従って、ケース１及びケース２の各重み付け値も、この相対的位置関係により決定される。
【００４１】
表１の「ケース３」のカラムに示される重み付け値を通常処理の重み付け値と比較すると、画面中心部の領域５の重み付け値が「１０」に設定されている以外は、通常処理の重み付けと同一である。すなわち、「ケース３」による重み付け処理は、処置具４０が画面内のどの領域に存在するかにかかわらず、画面中心部の重み付けの値を相対的に大きくし、画面全体の輝度値を算出する処理である。
【００４２】
また、表１の「ケース４」のカラムに示される重み付けは、画面中心部の領域５の重み付け値が「１」に設定されている以外は、他の領域の重み付け値は全て「０」である。すなわち、「ケース４」による重み付け処理は、処置具４０が画面内のどの領域に存在するかにかかわらず、画面中心部の輝度値のみに基づいて参照値との比較が行われる。
【００４３】
すなわち、「ケース３」及び「ケース４」による重み付け処理を採用すれば、接続される電子スコープ１０の挿入部先端１２Ａにおける鉗子口１４Ｐと対物レンズ１５との相対的位置関係によらず、処置具使用時も常に、適切な自動調光が行われる。すなわち、実際に処置具を用いて何らかの処置を行なう場合、それは通常画像中心部で行なわれるので、この領域のみの情報で調光することで、処置に適切な明るさが得られることになる。
【図面の簡単な説明】
【００４４】
【図１】本発明に係る実施形態が適用される電子内視鏡装置のブロック図である。
【図２】輝度値算出における領域分割の態様を示す図である。
【図３】電子スコープの挿入部先端を処置具挿通路を中心に拡大して示す図である。
【図４】電子スコープの挿入部先端の正面図である。
【図５】自動調光ルーチンの処理手順を示すフローチャートである。
【符号の説明】
【００４５】
１０  電子スコープ
１３Ａ、１３Ｂ  配光レンズ
１４  処置具挿通路
１４Ｐ  鉗子口
１５  対物レンズ
１６  ＣＣＤ
１７  スコープＣＰＵ
１８  画像処理ＩＣ
２０  ＥＥＰＲＯＭ
５０  ＴＶモニタ
【図１】
2006034782.tif 000005
【図２】
2006034782.tif 000006
【図３】
2006034782.tif 000007
【図４】
2006034782.tif 000008
【図５】
2006034782.tif 000009